(57)【要約】【課題】  従来の技術の通信システムと比較して減少した待ち時間を示す通信システムを提供すること。【解決手段】  本発明は、通信システムにおけるデータ信号のルート形成を含む。特に通信システムのノードは、データ信号の意図した宛先につながらなくともよいので、システムは、データ信号をノードから離れるようにバイパスまたは方向付けることができる。したがってノードの間のデータ信号の伝搬に関連する多くの待ち時間を減少することができ、迂回されたノードに関連する待ち時間を避けることができる。組込まれる光バイパスシステムは、光信号を受信し、光信号のデータが第１のノードに相当する宛先に供給すべきであるかどうかを判定する。光バイパスシステムは、光信号のデータが第１のノードに相当する宛先に供給すべきでない場合に、光信号も第１のノードから離れるように方向付ける。   【選択図】図２
2004194314.tif 000002
【特許請求の範囲】
【請求項１】
光信号を利用してノード間においてデータを伝搬する通信システムにおいて、
光信号を受信し、前記光信号のデータが第１のノードに相当する宛先に供給されるべきかどうかを判定し、前記光信号の前記データが前記第１のノードに相当する宛先に供給されるべきではない場合に前記光信号を前記第１のノードから離れるように方向付ける、光バイパスシステムを有する通信システム。
【請求項２】
前記光バイパスシステムは、前記光信号のデータを前記第１のノードおよび少なくとも別のノードのうちの１つに選択的に供給する光スイッチを有する請求項１に記載の通信システム。
【請求項３】
前記光バイパスシステムがさらに、
前記光スイッチと通信する信号スプリッタを含み、該信号スプリッタは、前記光信号に相当する信号を受信して、第１の信号成分および第２の信号成分に分割し、
前記信号スプリッタおよび前記光スイッチと通信する信号遅延コンポーネントを含み、該信号遅延コンポーネントは、前記第１の信号成分を受信して前記第１の信号成分を前記光スイッチに供給する前に、前記第１の信号成分に伝搬遅延を与える、請求項２に記載の通信システム。
【請求項４】
前記信号スプリッタは、前記光スイッチに光学的に通信する方向性結合器であり、
前記信号遅延コンポーネントは、前記信号スプリッタおよび前記光スイッチと光学的に通信する光遅延コンポーネントである、請求項３に記載の通信システム。
【請求項５】
前記光バイパスシステムがさらに、
前記光信号のデータを第１のノードに相当する宛先に供給すべきであるかどうかを判定する論理部と、
前記第１の信号成分を前記第１のノードに供給させる論理部と、
前記第１の信号成分を前記第１のノードから離れるように向ける論理部を含み、
前記光信号の前記データが前記第１のノードに相当する宛先に供給すべき場合、前記スイッチ制御システムは前記第１の信号成分を前記第１のノードに供給し、
前記光信号の前記データが前記第１のノードに相当する宛先に供給すべきでない場合、前記スイッチ制御システムは、前記第１の信号成分を前記第１のノードから離れるように方向付ける、請求項３に記載の通信システム。
【請求項６】
前記光バイパスシステムはさらに、
前記信号スプリッタおよび前記光スイッチと通信するスイッチ制御システムを有し、該スイッチ制御システムは、前記第２の信号成分を受信して前記光信号のデータが第１のノードに相当する宛先に供給されるべきかどうかを判定し、
前記光信号の前記データが前記第１のノードに相当する宛先に供給されるべきである場合、前記スイッチ制御システムが前記第１の信号成分を前記第１のノードに供給することを可能にし、
前記光信号の前記データが前記第１のノードに相当する宛先に供給されるべきではない場合、前記スイッチ制御システムが、前記第１の信号成分を前記第１のノードから離れるように方向付ける、請求項３に記載の通信システム。
【請求項７】
前記光バイパスシステムと通信するバイパス制御信号をさらに有し、該バイパス制御システムは、前記動作するバイパスシステムに制御信号を供給するように動作することにより、前記動作するバイパスシステムが光信号を前記第１のノードから離れるように方向付ける請求項１に記載の通信システム。
【請求項８】
光信号を利用してノード間においてデータを伝搬する方法において、
第１のノードに組合わされた第１の位置において光信号を受信し、
前記光信号のデータが前記第１のノードに相当する宛先に供給されるべきであるかどうかを前記第１の位置において判定し、
前記光信号の前記データが前記第１のノードに相当する宛先に供給されるべきでない場合に前記第１のノードから離れるようにかつ第２のノードに前記光信号を方向付ける
ステップを含む方法。
【請求項９】
前記光信号に組合わされたデータがデータパケットとして供給され、
前記判定は、前記データパケットの少なくとも１つに組合わされたヘッダを解析して、前記ヘッダが前記第１のノードに組合わされた宛先に相当するかどうかを判定するステップを含む、請求項８に記載の方法。
【請求項１０】
前記光信号を第１の光信号成分と第２の光信号成分に分割し、
前記第１の光信号成分を遅延し、
前記第１の光信号成分の遅延に組合わされた時間の間に、前記第２の光信号成分の少なくとも１つの前記データパケットの前記ヘッダを解析するステップをさらに含む、請求項８に記載の方法。
【発明の詳細な説明】
【技術分野】
【０００１】
本発明は、一般的に通信に関する。さらに特定すれば、本発明は、通信ネットワークの特定のノードからデータを選択的に離れるように方向付けることを含むシステムおよび方法に関する。
【背景技術】
【０００２】
通信ネットワークのデータ取扱い容量が増加してきており、多くの努力がなされている。これに伴い光通信ネットワークへと向かう傾向があり、これら光通信ネットワークは、電気ベースの通信ネットワークよりも大きなデータ容量または「帯域幅」を提供する。従来の技術の通信ネットワークの一部の代表的な例が、図１に示されている。
【０００３】
図１において、通信ネットワーク１００は、伝送媒体により相互接続された複数のノードを含む。さらに特定すれば、ノード１０２は、伝送媒体またはセグメント１０６を介してノード１０４にデータを通信する。セグメント１０６は、例えば電気ケーブルまたは光ファイバであることができる。光ファイバが利用されるとき、典型的に光ファイバによって伝搬される光信号は、ノードの前またはここにおいて電気信号に変換されることに注意されたい。追加的にセグメント１０８は、ノード１０２にデータを供給し、かつセグメント１１０は、ノード１０４から下流の（「次の」）ノード（図示せず）にデータを供給する。
【０００４】
図１において、ノード１０２および１０４は、それぞれ少なくとも１つの電気的なパケットスイッチを含む。それぞれの電気パケットスイッチは、電気信号の形のデータパケットを受信する。それぞれの電気パケットスイッチは、データパケットを、それらそれぞれの意図した宛先に向ける。特にそれぞれのパケットスイッチは、データパケットがパケットスイッチによってサービスされる宛先に向かうべきであるか、または別のパケットスイッチ（ノード）によってサービスされる宛先に向けられるものであるかどうかを判定する。
【０００５】
例としてノード１０２のパケットスイッチは、セグメント１０８を介してデータパケットを受信することができる。受信した後に、データパケットは、パケットスイッチのキャッシュメモリ内に記憶された後のように、解析される。データパケットが次のノード、例えばノード１０４に向かうべきであることを、パケットスイッチが判定した場合、データパケットは、待ち行列をなして配置（バッファリング）される。それからデータパケットは、データパケットを伝搬するために伝送媒体が利用できるときに、次のノードに向けられる。しかしながらデータパケットがパケットスイッチに相当する宛先に引渡すように指定されていることを、パケットスイッチが判定した場合、パケットスイッチは、データパケットをその宛先に向ける。例えばデータパケットは、装置１１２、例えばワークステーションに相当するアドレスに向かうことができる。
【０００６】
電気パケットスイッチに到達するデータパケットの数が増加するにつれて、パケットスイッチのデータ伝搬に関連する待ち時間または時間遅延も一般的に増加する。このことは、少なくとも一部は、前記のプロセスでパケットスイッチ内にデータパケットを、キャッシング／バッファリングすることに起因する。
【発明の開示】
【発明が解決しようとする課題】
【０００７】
以上に関連して、改善されたシステムおよび方法により、従来の技術のこれらやその他の既知の欠点に対処することが必要なのは明らかである。例えば、従来の技術の通信システムと比較して減少した待ち時間を示す通信システムを提供することが望まれる。
【課題を解決するための手段】
【０００８】
簡単に述べれば、本発明は、通信システムにおけるデータ信号のルート形成を含む。特に通信システムのノードは、データ信号の意図した宛先につながらなくともよいので、システムは、データ信号をノードから離れるようにバイパスまたは方向付けることができる。したがって典型的に通信システムのノードの間のデータ信号の伝搬に関連する多くの待ち時間を減少することができる。さらには、通信システムで迂回されたノードに関連する待ち時間は避けることができる。
【０００９】
本発明による通信システムは、光バイパスシステムを組込んでいる。光バイパスシステムは、光信号を受信し、かつ光信号のデータが第１のノードに相当する宛先に供給すべきであるかどうかを判定する。光バイパスシステムは、光信号のデータが第１のノードに相当する宛先に供給すべきでない場合に、光信号も第１のノードから離れるように方向付ける。
【００１０】
光信号を利用してノードの間にデータを伝搬する本発明による方法は、第１のノードに組合わされた第１の位置において光信号を受信し、第１の位置において光信号のデータが第１のノードに相当する宛先に供給すべきであるかどうかを判定し、かつ光信号のデータが第１のノードに相当する宛先に供給すべきでない場合に前記第１のノードから離れるようにかつ第２のノードに前記光信号を方向付けることを含む。
【００１１】
明らかに本発明の実施例は、前記のものに加えてまたはその代わりに、特徴・利点を示すことができる。追加的に本発明の別のシステム、方法、特徴・利点は、次の図面および詳細な説明を考察した際に、当業者にとって明らかになるであろう。このような追加的なすべてのシステム・方法は、この明細書に含まれ、本発明の権利範囲内にあり、かつ添付の特許請求の範囲によって保護されるものとする。
【００１２】
図面を参照することによって、本発明は一層良好に理解できる。図面におけるコンポーネントは、必ずしも適正スケールになっておらず、その代わりに、本発明の基本方式を明確に図示する際に強調がなされている。さらに図面において、いくつかの図を通して類似の参照符号は、対応する部分を示している。
【発明を実施するための最良の形態】
【００１３】
再び図面によれば、図２は、本発明による通信システム２００の代表的な実施例の部分を示している。後に一層詳細に説明するように、通信システム２００は、データ、例えばデータパケットを、意図したデータの宛先に対応しない１つまたは複数のノードから離れるように向ける。例えば通信システムのノードにより、データパケットをそのデータパケットがアドレス指定された宛先に向ける必要がない場合、通信システムは、ノードが迂回されるように、データパケットを向けることができる。このようにしてそのノードに供給されかつそれにより向けられるデータパケットの数を減少することができる。したがってそのノードの待ち時間は回避することができる。
【００１４】
図２に示すように、通信システム２００は、ノード２０２および２０４を含む。ノード２０２および２０４は、例えば到来するデータを複数の出力端子の間に向けるために、電気パケットスイッチまたはルート形成器を組込むことができる。光バイパスシステム２１０は、ノード２０２と通信する。さらに特定すれば、光バイパスシステムは、ノード２０２からセグメント２１２を介してデータパケットを受信する。データパケットをノード２０４に向ける場合、光バイパスシステム２１０は、セグメント２１４を介してデータパケットを向ける。データパケットを次のノード（図示せず）に、すなわちノード２０４から下流のノードに向ける場合、光バイパスシステム２１０は、セグメント２１６を介してデータパケットを向ける。ノード２０４も、セグメント２１８を介するように、データパケットを次のノードに向けることができる。セグメント２１２、２１４、２１６および２１８は光信号を通信することに注意する。しかしながら別の実施例において、１つまたは複数のセグメントは、電気信号を伝搬することができる。
【００１５】
図２の実施例において、光バイパスシステム２１０は、データパケットを選択的に通信システムのノード２０４から離れるように向ける。さらに特定すれば、光バイパスシステム２１０は、選択的にデータパケットを次のノードに向けることができる。この実施例において、通信システムは、光信号の形にして光バイパスシステムにデータパケットを供給する。それから光バイパスシステムは、光信号を解析し、かつ光信号がノード２０４に供給すべきであるかどうか、すなわち光信号をその意図した宛先にルート形成するために、ノード２０４が必要かどうかを判定する。光信号がノード２０４に供給すべきでないことが判定された場合、光バイパスシステムは、光信号をノード２０４から離れるように方向付け、かつ光信号を次のノードに向ける。
【００１６】
本発明による光バイパスシステムは、通信システムの種々のノードを通してデータパケットを伝搬するために必要な時間の量を減少することができる。とくにデータパケットがノードの光バイパスシステムによって解析されて、データパケットがそのノードを経由する必要がない場合、そのノードを迂回することができる。したがってデータパケットは、そのノードでの時間間隔分遅延されない。この時間間隔は、データパケットのキャッシング、データパケットのヘッダの読取り、データパケットのためのルート形成の決定、およびデータパケットを伝搬するためにノードの出力伝送媒体が利用できるまでのデータパケットのバッファリング、の１つまたは複数に関係する。さらに、ノードの電気パケットスイッチにより利用するためのデータパケットの変換、すなわち電気信号への光信号の変換および光信号への逆変換に関連した損失を、避けることができる。
【００１７】
図２の光バイパスシステム２１０の実施例の動作は、図３のフローチャートに示されている。他の実施形態では、添付の開示内容に記述されたこの／その他のフローチャートの種々のブロック内に記された機能は、記述された順序以外で行うことができることに注意する。例えば図３において連続して示された２つのブロックは、同時に実行することができる。
【００１８】
図３に示すように、光バイパスシステムまたは方法２１０を説明するが、ここでデータを受信するブロック３１０において始まる。例としてデータは、ヘッダを含むデータパケットの形で供給することができる。ブロック３２０において、受信されたデータが、現在のノードに向かうべきであるかどうかに関して判定が行なわれる。現在のノードとはすなわち、ブロック３２０の判定の対象となる、１つまたは複数の成分に関連したノードである。データがデータパケットである場合、このことを、ヘッダを解析することによって行うことができる。ブロック３２０において、データが現在のノードに向かうべきであることが判定された場合、データは現在のノードに向かう。しかしながらデータが現在のノードに向かうべきでないと判定されると、光バイパスシステムにより、データは現在のノードを迂回できる（ブロック３４０）。したがってデータは、別のノードに供給することができる。
【００１９】
光バイパスシステム２１０の実施例が、図４に概略的に示されている。図４に示すように、光バイパスシステムは、信号スプリッタ４０２、信号遅延コンポーネント４０４、スイッチ４０６およびスイッチ制御システム４０８を含む。信号スプリッタ４０２は、セグメント２１２を介してデータ信号を受信する。信号スプリッタ４０２は、データ信号を少なくとも第１および第２の信号成分に分割する。それから信号スプリッタ４０２は、第１の信号成分を供給する。この信号成分は、スイッチ制御システム４０８への初めのデータ信号の比較的わずかな部分、例えば１％であることができる。データ信号の第２の信号成分は、信号遅延コンポーネント４０４に供給される。
【００２０】
信号遅延コンポーネント４０４は、ある期間にわたって、データ信号の第２の信号成分を遅延する。このコンポーネントにより、スイッチ制御システムは、データ信号が例えばデータパケットがノード２０４に向かうべきであるかどうかを判定することができる。この点について、信号スプリッタ４０２は、制御システムが前記の判定を実行することを可能にするデータ信号の一部を、制御システムに供給するだけでよい。その判定に基づいて、スイッチ制御システム４０８は、スイッチ４０６に制御信号を供給する。さらに特定すれば、データパケットが、ノード２０４に向かうべきである場合、スイッチ制御システムは、スイッチがデータ信号を、すなわち信号遅延コンポーネント４０４によって遅延された第２の信号成分を、ノード２０４に向けることを可能にする。しかしながらデータパケットが、ノード２０４に向かうべきでない場合、スイッチ制御システムにより、スイッチが、データ信号を次のノードに向けることができる。
【００２１】
それぞれのデータ信号、第１の信号成分および第２の信号成分は、光学的なまたは電気的な信号として供給することができることに注意する。例えばある種の実施例において、データ信号は光信号であることができ、この信号は信号スプリッタによって分割される。それから第１の信号成分は、解析の前に電気信号に変換することができ、またはその代わりに光信号として解析することができる。同様に第２の信号成分は、光学的に遅延することができ、またはその代わりに電気信号に変換してから遅延することができる。第２の信号成分は、光バイパスシステム内の光学領域に留まるのが望ましい。
【００２２】
本発明による通信システム２００の別の実施例の一部は、図５に概略的に示されている。図５の実施例において、光バイパスシステム２１０は、方向性結合器５０２、光遅延コンポーネント５０４、フォトダイオード５０６、スイッチ制御システム５０８、およびスイッチ５１０を含む。
【００２３】
動作の際、データパケットを含むデータ信号は、光信号の形で光バイパスシステムの方向性結合器５０２に供給される。方向性結合器は、受信された光信号を第１および第２の光信号成分に分割する。第１の光信号成分は、光遅延コンポーネント５０４に供給される。例えば９８％の受信された光信号は、光遅延コンポーネントに供給することができる。光信号の第２の光信号成分、例えば２％の光信号は、方向性結合器からフォトダイオード５０６に供給される。フォトダイオード５０６は、光信号を電気信号に変換し、かつ電気信号をスイッチ制御システム５０８に供給する。
【００２４】
スイッチ制御システムに供給される電気信号が電気信号の解析を可能にするようになっている（後に説明する）ことに注意する。それ故にフォトダイオードに供給される第２の光信号成分は、選択されるようにし、かつ／または電気信号は、この動作を容易にするためにコンディショニングされ、例えば等しくされるようにする。
【００２５】
スイッチ制御システム５０８は、電気信号を解析する。とくにスイッチ制御システム５０８は、データパケットのヘッダが現在のノードに、例えばノード２０４へのものかどうかを判定する。それからスイッチ制御システム５０８は、制御信号を、例えば所定のアナログ電圧をスイッチ５１０に供給する。制御信号により、スイッチが光信号を、すなわち光遅延コンポーネントによって遅延された第１の光信号成分を、ノード２０４または次のノードに選択的に向けることができる。なおスイッチは、例えばLiNbO3または化合物半導体ベースのスイッチのような電気光学スイッチであることができる。
【００２６】
図５の光バイパスシステム２１０の実施例では、ノード２０４または次のノードに向かうべきデータパケットを、光信号の形に維持する。しかしながらデータパケットの解析は、電気信号に変換された光信号の一部を解析することによって達成される。この方法論は、長距離の光信号伝送から利得を得る光バイパスシステムを可能性として提供するが、一方データ解析機能を実行するために、典型的に光コンポーネントよりも低コストのかつ丈夫な電子コンポーネントを利用する。
【００２７】
図５の通信システム２００の実施例は、バイパス制御システム５２０も含む。バイパス制御システム５２０は、スイッチ制御システム５０８と通信する。バイパス制御システムは、スイッチ制御システムにバイパス制御信号を供給する。例えば特定の期間の間に、ノードのパケットスイッチにおいて保守手続きを行なうべき場合、バイパス制御信号は、保守の間にデータパケットをノードから離れるように方向付けるように、スイッチ制御システムに送信される。
【００２８】
図５の光バイパスシステムの実施例の動作は、さらに特定すれば、スイッチ制御システム５０８の動作は、図６のフローチャートに示されている。光バイパスシステムまたは方法は、図６に示すように説明され、ブロック６１０において始まる。ここで光バイパスシステムのバイパス機能を動作させるべきかどうかの判定が行なわれる。このような判定は、図５のバイパス制御システム５２０から供給される制御信号のような制御信号の受信に基づくことができる。バイパス機能を動作させるべきでないことが判定されると、方法は、ブロック６２０に進み、ここにおいてデータパケットが受信される。ブロック６３０において、データパケットのヘッダが解析される。その後、ブロック６４０に示されたように、データパケットのヘッダが現在のノードに相当するかどうかに関して、判定が行なわれる。ブロック６４０において、ヘッダが現在のノードに相当することが判定された場合、光バイパスシステムは、データパケットを現在のノードに向ける（ブロック６５０）。しかしながらヘッダが現在のノードに相当しないことが判定された場合、光バイパスシステムは、データパケットを次のノードに向ける（ブロック６６０）。ブロック６１０において、バイパスを動作させるべきと判定された場合、ブロック６６０に進行するので、データパケットは、次のノードに向けられる。
【００２９】
追加的にまたはその代わりに、バイパス制御システム５２０は、バイパス機能を不能にするための制御信号をスイッチ制御システム５０８に供給するために利用することができる。例えばこのような信号は、光バイパスシステム２１０に結び付いたノード２０４のようなノードに、すべてのデータのルートを形成することができる。
【００３０】
ある種の実施例において、制御システムは、通信システムの別のシステムおよび／またはコンポーネントから入力信号を受信する。例えばノード２０４が、情報を（破線矢印５３０によって示される）スイッチ制御システムに供給し、これは、ノード２０４のパケットスイッチが誤動作していることを表わすものと仮定されたい。この情報に応答して、スイッチ制御システムは、データパケットを誤動作しているパケットスイッチから離れるように方向付ける。
【００３１】
本発明による通信システム２００の別の実施例の代表的な部分は、図７に示されている。図７に示すように、通信ネットワークは、複数の光バイパスシステム、例えば光バイパスシステム２１０Ａ、２１０Ｂおよび２１０Ｃを含む。光バイパスシステム２１０Ａは、セグメント２１２を介してデータパケットを受信する。それから光バイパスシステム２１０Ａによって受信されたそれぞれのデータパケットは、セグメント２１４を介して現在のノード、例えばノード２０４またはセグメント２１６を介して光バイパスシステム２１０Ｂのいずれかに向けられる。光バイパスシステム２１０Ｂは、データパケットを、セグメント７０４を介してノード７０２、またはセグメント７０６を介して次のノード（図示せず）のいずれかに選択的に向ける。ノード７０２は、バイパスシステム２１０Ｃからもデータパケットを受信することができる。光バイパスシステム２１０Ｃは、セグメント７０８を介してノード２０４からデータパケットを受信する。光バイパスシステム２１０Ｃは、データパケットを、セグメント７１０を介してノード７０２、またはセグメント７１２を介して次のノード（図示せず）のいずれかに選択的に向ける。したがって図７の代表的な実施例に示すように、複数の光バイパスシステムは、通信システムの隣接するノードに結び付いて利用することができる。
【００３２】
本発明の制御システム、例えばスイッチ制御システム４０８（図４）および５０８（図５）、およびバイパス制御システム５２０（図５）は、ソフトウエア、ファームウエア、ハードウエアまたはその組合せで実現することができる。明らかに第１にプロセス速度の考慮のために、スイッチ制御システムのハードウエア実現は望ましい。ハードウエアにおいて実現された場合、それぞれの制御システムは、あらゆるまたは組合せの種々の技術によって実現することができる。例としてそれぞれ当該技術分野においてよく知られた次の技術、すなわちデータ信号において論理機能を実現するために論理ゲートを有する１つまたは複数の個別論理回路、適当な組合せ論理ゲートを有するアプリケーションに固有の集積回路（ASIC）、プログラミング可能な１つまたは複数のゲートアレイ（PGA）、およびフィールドプログラミング可能なゲートアレイ（FPGA）を利用することができる。
【００３３】
代案実施例において前記の制御システムは、実行可能なプログラムとしてソフトウエアにおいて実現することができる。例えばそれぞれの制御システムは、特殊目的または汎用のディジタルコンピュータによって実行することができる。このような制御システムを実現することができる汎用コンピュータの例は、図８に概略的に示されている。
【００３４】
一般にハードウエアアーキテクチャに関して、コンピュータ８００は、プロセッサ８０２、メモリ８０４および１つまたは複数の入力および／または出力（Ｉ／Ｏ）装置８０６（または周辺装置）を含み、これらは、局部インターフェース８０８を介して通信するように結合されている。メモリ８０４内のソフトウエアは、１つまたは複数の分離したプログラムを含むことができ、これらプログラムのそれぞれは、論理機能を実現するために実行可能な命令の配列されたリストを含む。図８の例において、メモリ８０４内のソフトウエアは、制御システム（４０８、５０８、５２０）およびオペレーティングシステム（Ｏ／Ｓ）８１０を含む。
【００３５】
ソフトウエアにおいて制御システム（４０８、５０８、５２０）が実現されるとき、制御システムは、あらゆるコンピュータ関連システムまたは方法によってまたはこれに関連して利用するためのあらゆるコンピュータ読取り可能な媒体に記憶することができることに注意されたい。この文書に関連して、コンピュータ読取り可能な媒体は、電子的、磁気的、光学的またはその他の物理的な装置であり、またはコンピュータ関連システムまたは方法によってまたはこれに関連して利用するためのコンピュータプログラムを含みまたは記憶することができる媒体である。制御システム（４０８、５０８、５２０）は、命令実行システム、器具または装置から命令を取出しかつ命令を実行することができるコンピュータベースのシステム、プロセッサを含むシステムまたはその他のシステムのような命令実行システム、器具または装置によってまたはこれに関連して利用するためのあらゆるコンピュータ読取り可能な媒体において実現することができる。
【００３６】
この文書に関連して、「コンピュータ読取り可能な媒体」は、命令実行システム、器具または装置によってまたはこれに関連して利用するためのプログラムを記憶し、通信し、伝搬しまたは転送することができるあらゆる手段であることができる。コンピュータ読取り可能な媒体は、例えば制限するわけではないが、電子的、磁気的、光学的、電磁的、赤外線または半導体システム、器具、装置または伝搬媒体であることができる。コンピュータ読取り可能な媒体のさらに特定の例（余すところがないわけではないリスト）は、次のものを含み、１つまたは複数の線材を有する電気接続（電子的）、持運び可能なコンピュータディスケット（磁気的）、ランダムアクセスメモリ（RAM）（電子的）、読取り専用メモリ（ROM）（電子的）、消去可能なプログラミング可能な読取り専用メモリ（EPROM、EEPROMまたはフラッシュメモリ）（電子的）、光ファイバ（光学的）、および持運び可能なコンパクトディスク読取り専用メモリ（CDROM）（光学的）を含む。プログラムが、紙またはその他の媒体の例えば光学的な走査を介して電子的に獲得でき、それからコンパイルすることができ、解釈することができ、またはさもなければ必要な場合に適当な様式で処理することができ、かつそれからコンピュータメモリ内に記憶することができる場合、コンピュータ読取り可能な媒体は、プログラムがプリントされた紙またはその他の適当な媒体であってさえよいことに注意する。
【００３７】
前記の説明は、例示および説明の目的で示されている。余すところなく示し、または本発明を開示した精密な形に制限しようとするものではない。前記の教えを考慮して、変更または変形が可能である。しかしながら議論された１つまたは複数の実施例は、それにより企図した特定の用途に適当である場合、当業者が種々の実施例においてかつ種々の変形によって本発明を利用することができるようにするために、本発明の基本方式およびその実際の適用を例示するために選ばれかつ説明された。このようなすべての変更および変形は、公正かつ合法的に権限を有する幅にしたがって解釈した場合、添付特許請求の範囲によって定義されたような本発明の権利範囲内にある。
【図面の簡単な説明】
【００３８】
【図１】従来の技術の代表的な通信ネットワークの一部を示す概略図。
【図２】本発明による通信システムの実施例の一部を示す概略図。
【図３】図２の光バイパスシステムの実施例の動作を示すフローチャート。
【図４】光バイパスシステムの詳細を示す図２の実施例を示す概略図。
【図５】図２の通信システムに利用することができる光バイパスシステムの別の実施例を示す概略図。
【図６】図５の制御システムの実施例の動作を示すフローチャート。
【図７】本発明による通信システムの別の実施例の一部を示す概略図。
【図８】本発明による制御器を実現するために利用することができるコンピュータまたはプロセッサベースのシステムを示す概略図。
【符号の説明】
【００３９】
２００  通信システム
２０４  第１のノード
２１０  光バイパスシステム
４０２  光スプリッタ
４０４  信号遅延コンポーネント
４０６  光スイッチ
４０８  スイッチ制御システム
５０２  バイパス制御システム  
【図１】
2004194314.tif 000003
【図２】
2004194314.tif 000004
【図３】
2004194314.tif 000005
【図４】
2004194314.tif 000006
【図５】
2004194314.tif 000007
【図６】
2004194314.tif 000008
【図７】
2004194314.tif 000009
【図８】
2004194314.tif 000010